(57)【要約】      （修正有）【課題】改良式多孔噴霧プレートを備える霧化構造及びその霧化装置を提供する。【解決手段】改良式多孔噴霧プレートは高分子部材１０１と、支持プレート１０２とを組み合わせてなり、支持プレートは複数の連接部１０３と、一つの貫通穴１０４とを有し、高分子部材は支持プレートを覆っていて、かつ貫通穴にて複数の通り穴１０５を設けられている。駆動素子１１は連接部を介して改良式多孔噴霧プレートに連接する。電気供給した後、圧電効果により高周波の振動波を発生し改良式多孔噴霧プレートを駆動振動して、溶液の分子構造を砕いて霧状の分子構造を形成し霧化効果を達成する。【選択図】図２
0003182019.tif 000002
【実用新案登録請求の範囲】
【請求項１】
改良式多孔噴霧プレートを備える霧化構造であって、
プレート状の構造体を形成し、高分子部材と、支持プレートとを組合せてなり、前記高分子部材は前記支持プレートの少なくとも一つの面を覆っていて、かつ前記支持プレートには複数の連結部と、一つの貫通穴と、を設け、前記高分子部材は前記貫通穴に対応する位置に複数の通り穴を設ける改良式多孔噴霧プレートと、
前記連結部に設けて電源と電気接続し、電気供給により圧電効果を発生し、前記支持プレート及び前記高分子部材を合わせて駆動することによって、共振を発生し溶液を微小分子に砕く駆動素子と、を備えることを特徴とする、
改良式多孔噴霧プレートを備える霧化構造。
【請求項２】
前記支持プレートは金属部材より仕上げるプレート状構造体であり、かつ貫通穴は複数の肋材を内設していて、前記高分子部材は前記肋材の間に充填されていないことを特徴とする、請求項１記載の改良式多孔噴霧プレートを備える霧化構造。
【請求項３】
前記肋材は平行して設置することを特徴とする、請求項２記載の改良式多孔噴霧プレートを備える霧化構造。
【請求項４】
前記肋材は交差して設置することを特徴とする、請求項２記載の改良式多孔噴霧プレートを備える霧化構造。
【請求項５】
前記駆動素子は圧電セラミックプレートであることを特徴とする、請求項１記載の霧化構造。
【請求項６】
前記高分子部材はポリイミド（Ｐｏｌｙｉｍｉｄｅ）であることを特徴とする、請求項１記載の霧化構造。
【請求項７】
前記連接部は高分子部材に覆われていないことを特徴とする、請求項１記載の霧化構造。
【請求項８】
前記連接部は高分子部材の一面に突き出すことを特徴とする、請求項７記載の霧化構造。
【請求項９】
前記連接部の高さは前記高分子部材の厚さより大きいことを特徴とする、請求項８記載の霧化構造。
【請求項１０】
霧化ベースを有し、前記改良式多孔噴霧プレートと、前記駆動素子に対応して、前記改良式多孔噴霧プレート及び前記駆動素子を収容するための収容部を設けることを特徴とする、請求項１記載の霧化構造。
【考案の詳細な説明】
【技術分野】
【０００１】
本考案は改良式多孔噴霧プレートを備える霧化構造の改良に関し、特に改良式多孔噴霧プレートと、駆動素子のみを利用する改良式多孔噴霧プレートを備える霧化構造に関する。
【背景技術】
【０００２】
霧化構造は噴霧器またはインクカートリッジなどの製品で良く見かける。主に電子的な発振原理を応用して高周波の振動波を発生し、溶液を砕いて霧状の分子構造に仕上げる。
【０００３】
初期の霧化構造は圧電プレートと、霧化プレートと、を備える。圧電プレートは、霧化プレートの一側に設ける。圧電プレートに電場を加えて高周波の振動波を発生させ、霧化プレートは圧電プレートの連動によって、変形曲がりを形成し振動によって、溶液の分子を砕いて霧化効果を形成し、溶液の霧状分子を霧化プレートの噴出穴より噴出する。
【０００４】
さらに、金属部材による振動エネルギーの伝導性が優れることから、霧化プレートは金属部材を使用している。しかし、長期の高速振動により金属部材が材料の脆化または疲労を発生して、霧化プレートが割れまたは振動効果が低下し、霧化効果を低下しやすい。
【考案の概要】
【考案が解決しようとする課題】
【０００５】
その後、金属製の霧化プレートの問題を解決するため、高分子部材を使用した霧化プレートが考案され、金属製の霧化プレートに比べて使用寿命は長くなった。しかし、高分子部材の分子は分散構造のため、振動エネルギーの伝導効率が悪く霧化効果の低下を引き起こす。高分子部材の欠点を解決するため、金属製の構造プレートが増設されている。霧化プレートを圧電素子と構造プレートとの間に設け、圧電素子を両側より構造プレートに直接接合する。圧電素子より発生する高周波振動が直接構造プレートに伝導され、構造プレートが霧化プレートを連動して振動させ、霧化効果を形成する。
【０００６】
しかし、この種の設計は構造プレートを増設し霧化プレートを駆動して振動させる必要があるため、コストが高い。そこで、考案者は、圧電素子と高分子部材からなる霧化プレートを結合して、前述の問題を防止できる霧化構造を考案した。
【課題を解決するための手段】
【０００７】
本考案の主な目的は、生産プロセスを簡素化でき、かつ低コスト、高効率の霧化効果を達成できる、改良式多孔噴霧プレートを備える霧化構造を提供する点にある。
本考案の改良式多孔噴霧プレートを備える霧化構造は、改良式多孔噴霧プレートと、駆動素子と、を備える。改良式多孔噴霧プレートは高分子部材と、支持プレートとを組合せてなり、高分子部材を支持プレートに覆い被せ、駆動素子を介して共振を発生し、溶液の分子構造を微小分子に砕いて、霧化の効果を達成する。
従来の霧化構造に比べて、本考案は金属製の霧化プレートが割れやすい問題を防止し、高分子部材の長使用寿命である長所を引き継ぐと共に、構造プレートを増設する必要があるという課題を同時に解決し、改良式多孔噴霧プレートを備える霧化構造の生産プロセスを簡素化し、コストを軽減できる。
【０００８】
前述の目的を達成するため、本考案の、電気駆動によって溶液に霧化効果を形成できる、改良式多孔噴霧プレートを備える霧化構造は、プレート状の構造体を形成し、高分子部材と支持プレートとを組合せてなり、高分子部材はポリイミド（Ｐｏｌｙｉｍｉｄｅ）であり、支持プレートの少なくとも一表面を覆う。
支持プレートは金属製のプレート状の構造体を形成し、かつ支持プレートには複数の連結部と、一つの貫通穴と、を設け、高分子部材は貫通穴に対応する位置にて、複数の通り穴を設ける改良式多孔噴霧プレートと、連結部に設けて、かつ電源に電気接続していて、電気供給により圧電効果を形成し支持プレートと高分子部材を連動して共振を発生し、溶液を微小分子に砕く駆動素子と、を備える。そのうち、駆動素子は圧電セラミックプレートを設ける。
【０００９】
そのうち、支持プレートは貫通穴に複数の肋材を内設され、肋材は交差または平行して排列していて、かつ高分子部材は肋材の間を埋めていない。
【００１０】
一実施例において、連結部は高分子部材に覆われていない。
【００１１】
一実施例において、連接部は高分子部材の一面に突き出していて、かつ連接部の高さは高分子部材の厚さに等しいか、より大きい。
そのうち、改良式多孔噴霧プレートを備える霧化構造は、霧化装置に内設することができる。霧化装置は霧化ベースを有し、改良式多孔噴霧プレート及び駆動素子に対応して、改良式多孔噴霧プレート及び駆動素子を収容するための収容部を設けられている。
【図面の簡単な説明】
【００１２】
【図１】本考案の実施例１の立体概略図である。
【図２】本考案の実施例１の断面視図である。
【図３】本考案の実施例１の細部断面概略図である。
【図４】本考案の実施例２の平面概略図である。
【図５】本考案の実施例２の断面視図である。
【図６】本考案の実施例３の平面概略図である。
【図７】本考案の実施例３の断面視図である。
【図８】本考案の実施例３の組立概略図である。
【考案を実施するための形態】
【００１３】
審査官の方々が本考案の内容を以下にて図面と合わせて説明する。
【実施例１】
【００１４】
図１ないし３の、本考案の実施例１の立体概略図と、断面視図と、細部断面概略図と、を参照する。本考案の改良式多孔噴霧プレートを備える霧化構造１は電気供給した後、溶液の分子構造をさらに小さい霧状の分子構造に砕くことができる。本考案の改良式多孔噴霧プレートを備える霧化構造１は、改良式多孔噴霧プレート１０と、駆動素子１１と、を備える。
【００１５】
改良式多孔噴霧プレート１０はプレート状構造体が好ましく、かつ高分子部材１０１と、支持プレート１０２とを組合せてなり、支持プレート１０２は金属部材より仕上げられ、かつプレート状構造体を形成し、その上に複数の連接部１０３と、一つの貫通穴１０４と、を設ける。
連接部１０３を駆動素子１１に連接することによって、改良式多孔噴霧プレート１を作動させ、貫通穴１０４は溶液の通過を提供し、改良式多孔噴霧プレート１０を経由して容積の分子を微小の分子構造に砕いて、霧化の効果を形成する。高分子部材１０１は支持プレート１０２の少なくとも一つの表面を覆い被う。
本実施例において、支持プレート１０２全体は高分子部材１０１によって覆われていて、かつ高分子部材１０１の厚さは非常に薄い。高分子部材１０１は支持プレート１０２全体を覆っているため、高分子部材１０１の正面と裏面の貫通穴１０４に対応する場所は、通り穴１０５を設けられている。霧化された溶液は、ここより噴霧される。高分子部材１０１はポリイミド（Ｐｏｌｙｉｍｉｄｅ）が好ましい。ポリイミド（Ｐｏｌｙｉｍｉｄｅ）の使用により改良式多孔噴霧プレート１０の使用寿命を延ばすことができ、長期間使用の脆化により割れる恐れがない。
【００１６】
改良式多孔噴霧プレート１０を連接するため、駆動素子１１を連接部１０３に設け、かつ電源１１１と電気接続する。駆動素子１１は圧電セラミックプレートが好ましい。駆動素子１１に電気を供給すると、圧電効果により高周波の振動波を発生し、改良式多孔噴霧プレート１０に伝送して共振効果を形成する。図３に示すように、溶液は高分子部材１０１裏面の通り穴１０５より進入し、共振効果によって分子構造がより小さい分子構造に砕いた上、引き続き高分子部材１０１正面に備える通り穴１０５より噴霧され、高効率の霧化効果を達成する。
【実施例２】
【００１７】
図４と５の、本考案実施例２の平面概略図と断面視図とを参照する。本実施例において、素子と構造が実施例１と同じ部分は、ここでの説明を省略する。本考案の改良式多孔噴霧プレートを備える霧化構造２は、改良式多孔噴霧プレート２０と、駆動素子２１と、を備える。
【００１８】
改良式多孔噴霧プレート２０はプレート状構造体であり、高分子部材２０１と支持プレート２０２とを組み合わせてなる。支持プレート２０２にて複数の連接部２０３と、一つの貫通穴２０４と、を設けられている。高分子部材２０１の正面と裏面は、貫通穴２０４に対応する場所に複数の通り穴２０５を設けられている。
【００１９】
そのうち、支持プレート２０２は高分子部材２０１によって覆われているが、連接部２０３は高分子部材２０１に覆われていない。すなわち、高分子部材２０１は連接部２０３以外の支持プレート２０２のみを覆っている。
本実施例において、貫通穴２０４の内部に複数の肋材２０４１を設け、肋材２０４１は交差して配置されている。ただし、本考案はこの限りでない。肋材２０４１によって、貫通穴を複数の透過穴２０４２に仕切っていて、かつ高分子部材２０１は透過穴２０４２の内部に充填していない。
【００２０】
駆動素子２１を連接部２０３に設けることによって、改良式多孔噴霧プレート２０に連接していて、かつ改良式多孔噴霧プレート２０に接触すると共に、電源（図示しない）と電気接続する。駆動素子２１より高周波の振動波を発生して改良式多孔噴霧プレート２０と共振効果を形成して、霧化の効果を達成する。
【実施例３】
【００２１】
図６ないし８の、本考案実施例３の平面概略図と、断面視図と、組立概略図とを参照する。本実施例において、素子と構造が実施例１及び実施例２と同じ部分は、ここでの説明を省略する。本考案の改良式多孔噴霧プレートを備える霧化構造３は、改良式多孔噴霧プレート３０と、駆動素子３１と、を備える。
【００２２】
改良式多孔噴霧プレート３０はプレート状構造体であり、高分子部材３０１と支持プレート３０２とを組み合わせてなる。支持プレート３０２にて複数の連接部３０３と、一つの貫通穴３０４と、を設けられている。高分子部材３０１の正面と裏面は、貫通穴３０４に対応する場所に複数の通り穴３０５を設けられている。
【００２３】
そのうち、支持プレート３０２は高分子部材３０１によって覆われている。ただし、連接部３０３は高分子部材３０１によって覆われていないほか、高分子部材３０１の一面に突き出している。その高さは、高分子部材３０１の厚さより大きい。
本実施例において、貫通穴３０４の内部に複数の肋材３０４１を設ける。肋材３０４１は平行して配置されている。ただし、本考案はこの限りでない。肋材３０４１によって、貫通穴を複数の透過穴３０４２に仕切っていて、かつ高分子部材３０１は透過穴３０４２の内部に充填していない。
【００２４】
駆動素子３１を連接部３０３に設けることによって、改良式多孔噴霧プレート３０に連接していて、かつ改良式多孔噴霧プレート３０３に接触すると共に、電源（図示しない）と電気接続する。駆動素子３１より高周波の振動波を発生して改良式多孔噴霧プレート３０３と共振効果を形成して、霧化の効果を達成する。
【００２５】
そのうち、改良式多孔噴霧プレートを備える霧化構造３は霧化装置に内設できる。霧化装置は霧化ベース４を有する。霧化ベース４は改良式多孔噴霧プレートを備える霧化構造３に対応して、多孔噴霧プレートを備える霧化構造３を収容するための収容部４０を設けられている。  
【００２６】
本考案の改良式多孔噴霧プレートを備える霧化構造１、２、３は、一つの改良式多孔噴霧プレート１０、２０、３０と、一つの駆動素子１１、２１、３１のみを利用することによって、高効率の霧化効果を達成できる。
本考案は高分子部材１０１、２０１、３０１を利用し、支持プレート１０２、２０２、３０２にて覆って、改良式多孔噴霧プレート１０、２０、３０を組み合わせて、駆動素子１１、２１、３１を介して、駆動し共振を発生することによって、溶液の分子構造を微小の霧状分子に砕いて、霧化の効果を形成する。
本考案は従来の霧化構造に比べて、生産プロセスをより簡素化でき、かつ従来の霧化構造より良い霧化効果を達成できる。
【符号の説明】
【００２７】
１          改良式多孔噴霧プレートを備える霧化構造
１０        改良式多孔噴霧プレート
１０１      高分子部材
１０２      支持プレート
１０３      連接部
１０４      貫通穴
１０５      通り穴
１１        駆動素子
１１１      電源
２          改良式多孔噴霧プレートを備える霧化構造
２０        改良式多孔噴霧プレート
２０１      高分子部材
２０２      支持プレート
２０３      連接部
２０４      貫通穴
２０４１    肋材
２０４２    透過穴
２０５      通り穴
２１        駆動素子
３          改良式多孔噴霧プレートを備える霧化構造
３０        高分子部材
３０２      連接部
３０４      貫通穴
３０４１    肋材
３０４２    透過穴
３０５      通り穴
３１        駆動素子
４          霧化ベース
４０        収容部
【図１】
0003182019.tif 000003
【図２】
0003182019.tif 000004
【図３】
0003182019.tif 000005
【図４】
0003182019.tif 000006
【図５】
0003182019.tif 000007
【図６】
0003182019.tif 000008
【図７】
0003182019.tif 000009
【図８】
0003182019.tif 000010